(57)【要約】【課題】シャントキャップ同士の接続状態が不意に解除されてしまうのを抑制可能なシャントキャップセットを提供する。【解決手段】第１開口部１２０及び係合部１３０を有する第１シャントキャップ１００と、第２開口部２２０及び被係合部２３０を有する第２シャントキャップ２００とを備えるシャントキャップセット５０。第１開口部１２０及び第２開口部２２０は、互いに嵌合可能に構成されている。係合部１３０は、第１開口部１２０と第２開口部２２０とを嵌合させた状態で、被係合部２３０に係合可能に構成されている。第１シャントキャップ１００及び第２シャントキャップ２００は、係合部１３０と被係合部２３０との係合状態を解除したときにのみ、第１開口部１２０と第２開口部２２０との接続状態を解除可能に構成されている。【選択図】図１６
2013165785.tif 000002
【特許請求の範囲】
【請求項１】
管状の第１本体部（１１０）、前記第１本体部（１１０）に設けられ、前記第１本体部（１１０）の内部流路に通じる第１開口部（１２０）、及び前記第１本体部（１１０）に設けられた係合部（１３０）を有する第１シャントキャップ（１００）と、
管状の第２本体部（２１０）、前記第２本体部（２１０）に設けられ、前記第２本体部（２１０）の内部流路に通じる第２開口部（２２０）、及び前記第２本体部（２１０）に設けられた被係合部（２３０）を有する第２シャントキャップ（２００）とを備え、
前記第１開口部（１２０）及び前記第２開口部（２２０）は、互いに嵌合可能に構成されており、
前記係合部（１３０）は、前記第１開口部（１２０）と前記第２開口部（２２０）とを嵌合させた状態で、前記被係合部（２３０）に係合可能に構成されており、
前記第１シャントキャップ（１００）及び前記第２シャントキャップ（２００）は、前記係合部（１３０）と前記被係合部（２３０）との係合状態を解除したときにのみ、前記第１開口部（１２０）と前記第２開口部（２２０）との接続状態を解除可能に構成されているシャントキャップセット（５０）。
【請求項２】
請求項１に記載のシャントキャップセットにおいて、
前記係合部（１３０）は、前記第１開口部（１２０）の近傍に設けられており、
前記被係合部（２３０）は、前記第２開口部（２２０）の近傍に設けられているシャントキャップセット（５０）。
【請求項３】
請求項１又は２に記載のシャントキャップセットにおいて、
前記係合部（１３０）と前記被係合部（２３０）とは、前記第１本体部（１１０）の管軸（１１０ａｘ）を中心軸として前記第１シャントキャップ（１００）を回動させることにより、互いの係合状態を解除可能に構成されているシャントキャップセット（５０）。
【請求項４】
請求項３に記載のシャントキャップセットにおいて、
前記係合部（１３０）は、前記第１本体部（１１０）の管軸（１１０ａｘ）に沿って前記第１開口部（１２０）側に伸びる伸出部（１３２）と、前記伸出部（１３２）の先端部分に設けられた突起部（１３４）とを有し、
前記被係合部（２３０）は、前記第１開口部（１２０）と前記第２開口部（２２０）とを嵌合させたときに、前記係合部（１３０）と対応する位置に設けられた切欠き部（２３２）を有し、
前記突起部（１３４）は、前記係合部（１３０）と前記被係合部（２３０）との係合状態を解除するときにおける前記第１シャントキャップ（１００）の回動方向に対して、反対の方向に向かって突出しているシャントキャップセット（５０）。
【請求項５】
請求項４に記載のシャントキャップセットにおいて、
前記切欠き部（２３２）の切欠き幅（Ｗ３）は、前記伸出部（１３２）の幅（Ｗ１）と前記突起部（１３４）の突出長（Ｌ２）との和よりも大きな値に設定されているシャントキャップセット（５０）。
【請求項６】
請求項１又は２に記載のシャントキャップセットにおいて、
前記係合部（３３０）と前記被係合部（４３０）とは、前記第１本体部（３１０）の外面側から内面側に向けて、前記係合部（３３０）の一部に外力を加えることにより、互いの係合状態を解除可能に構成されているシャントキャップセット（５２）。
【請求項７】
請求項６に記載のシャントキャップセットにおいて、
前記係合部（３３０）は、前記第１本体部（３１０）の管軸（３１０ａｘ）に沿って前記第１開口部（３２０）側に伸びる伸出部（３３２）と、前記第１本体部（３１０）の管軸（３１０ａｘ）に沿って前記第１開口部（３２０）とは反対側に伸びる押圧部（３３６）と、前記伸出部（３３２）及び前記押圧部（３３６）の間に位置し、前記伸出部（３３２）及び前記押圧部（３３６）を支持する支持部（３３８）と、前記伸出部（３３２）の先端部分に設けられた突起部（３３４）とを有し、
前記被係合部（４３０）は、前記第１開口部（３２０）と前記第２開口部（４２０）とを嵌合させたときに、少なくとも前記係合部（３３０）と対応する位置に設けられた受け部（４３２）を有し、
前記突起部（３３４）は、前記第１本体部（３１０）の外面側から内面側に向かって突出しており、
前記伸出部（３３２）は、前記押圧部（３３６）に対して前記第１本体部（３１０）の外面側から内面側に向かう外力を加えたときに、前記第１本体部（３１０）の内面側から外面側に向けて変位するように構成されているシャントキャップセット（５２）。
【請求項８】
動脈側回路（２０）と、
静脈側回路（３０）と、
前記動脈側回路（２０）及び前記静脈側回路（３０）を接続するためのシャントキャップセット（５０）とを備え、
前記シャントキャップセット（５０）は、請求項１〜７のいずれか一項に記載のシャントキャップセットである体外循環回路（１）。
【発明の詳細な説明】
【技術分野】
【０００１】
本発明は、シャントキャップセット及び体外循環回路に関する。
【背景技術】
【０００２】
血液透析等に用いられる体外循環回路は、通常、使用するごとに体外循環回路内にプライミング液（例えば生理食塩水）を導入・充填し、体外循環回路内の異物及び空気を除去する処理（いわゆるプライミング処理）を行っている。
【０００３】
プライミング処理に用いられるシャントキャップセットとして、従来、シャントキャップ同士の接続部分がオス−メス嵌合可能に構成されたシャントキャップセットが知られている（例えば、特許文献１参照。）。従来のシャントキャップセットは、オス型の接続部分を有するシャントキャップと、メス型の接続部分を有するシャントキャップとを備える。２つのシャントキャップのうちいずれか一方は動脈側回路に接続されており、他方は静脈側回路に接続されている。２つのシャントキャップは、オス型及びメス型の接続部分でオス−メス嵌合可能に構成されている。
【０００４】
従来のシャントキャップセットによれば、各シャントキャップの接続部分同士を接続することにより、体外循環回路を比較的容易にプライミング処理することが可能となる。
【先行技術文献】
【特許文献】
【０００５】
【特許文献１】日本国登録実用新案第３０５４６６１号公報
【発明の概要】
【発明が解決しようとする課題】
【０００６】
ところで、プライミング処理を行っている最中にシャントキャップ同士の接続状態が不意に解除されてしまうと、シャントキャップからプライミング液が漏れ、作業現場が水浸しになりかねない。また、シャントキャップ同士の接続状態が不意に解除されてしまうと、シャントキャップの接続部分が望ましくないタイミングで外気に触れてしまうため、雑菌汚染の問題が懸念される。
【０００７】
そこで、本発明は、このような事情に鑑みてなされたもので、シャントキャップ同士の接続状態が不意に解除されてしまうのを抑制可能なシャントキャップセット及び体外循環回路を提供することを目的とする。
【課題を解決するための手段】
【０００８】
本発明のシャントキャップセットは、管状の第１本体部、前記第１本体部に設けられ、前記第１本体部の内部流路に通じる第１開口部、及び前記第１本体部に設けられた係合部を有する第１シャントキャップと、管状の第２本体部、前記第２本体部に設けられ、前記第２本体部の内部流路に通じる第２開口部、及び前記第２本体部に設けられた被係合部を有する第２シャントキャップとを備え、前記第１開口部及び前記第２開口部は、互いに嵌合可能に構成されており、前記係合部は、前記第１開口部と前記第２開口部とを嵌合させた状態で、前記被係合部に係合可能に構成されており、前記第１シャントキャップ及び前記第２シャントキャップは、前記係合部と前記被係合部との係合状態を解除したときにのみ、前記第１開口部と前記第２開口部との接続状態を解除可能に構成されている。
【０００９】
本発明のシャントキャップセットにおいては、前記係合部は、前記第１開口部の近傍に設けられており、前記被係合部は、前記第２開口部の近傍に設けられていることが好ましい。
【００１０】
本発明のシャントキャップセットにおいては、前記係合部と前記被係合部とは、前記第１本体部の管軸を中心軸として前記第１シャントキャップを回動させることにより、互いの係合状態を解除可能に構成されていることが好ましい。
【００１１】
本発明のシャントキャップセットにおいては、前記係合部は、前記第１本体部の管軸に沿って前記第１開口部側に伸びる伸出部と、前記伸出部の先端部分に設けられた突起部とを有し、前記被係合部は、前記第１開口部と前記第２開口部とを嵌合させたときに、前記係合部と対応する位置に設けられた切欠き部を有し、前記突起部は、前記係合部と前記被係合部との係合状態を解除するときにおける前記第１シャントキャップの回動方向に対して、反対の方向に向かって突出していることが好ましい。
【００１２】
本発明のシャントキャップセットにおいては、前記切欠き部の切欠き幅は、前記伸出部の幅と前記突起部の突出長との和よりも大きな値に設定されていることが好ましい。
【００１３】
本発明のシャントキャップセットにおいては、前記係合部と前記被係合部とは、前記第１本体部の外面側から内面側に向けて、前記係合部の一部に外力を加えることにより、互いの係合状態を解除可能に構成されていることが好ましい。
【００１４】
本発明のシャントキャップセットにおいては、前記係合部は、前記第１本体部の管軸に沿って前記第１開口部側に伸びる伸出部と、前記第１本体部の管軸に沿って前記第１開口部とは反対側に伸びる押圧部と、前記伸出部及び前記押圧部の間に位置し、前記伸出部及び前記押圧部を支持する支持部と、前記伸出部の先端部分に設けられた突起部とを有し、前記被係合部は、前記第１開口部と前記第２開口部とを嵌合させたときに、少なくとも前記係合部と対応する位置に設けられた受け部を有し、前記突起部は、前記第１本体部の外面側から内面側に向かって突出しており、前記伸出部は、前記押圧部に対して前記第１本体部の外面側から内面側に向かう外力を加えたときに、前記第１本体部の内面側から外面側に向けて変位するように構成されていることが好ましい。
【００１５】
本発明の体外循環回路は、動脈側回路と、静脈側回路と、前記動脈側回路及び前記静脈側回路を接続するためのシャントキャップセットとを備え、前記シャントキャップセットは、本発明のシャントキャップセットである。
【発明の効果】
【００１６】
本発明のシャントキャップセットによれば、上記した係合部及び被係合部を備えているため、係合部と被係合部との係合状態を解除しない限り、第１シャントキャップと第２シャントキャップとの接続状態を維持し続けることが可能となる。つまり、シャントキャップ同士の接続状態が不意に解除されてしまうのを抑制することが可能となる。
【００１７】
本発明の体外循環回路によれば、上述の優れたシャントキャップセットを備えているため、シャントキャップ同士の接続状態が不意に解除されてしまうのを抑制可能な体外循環回路となる。
【００１８】
なお、特許請求の範囲に記載した各部材等には、発明の理解を容易にするために括弧を付けて符号を付しているが、それら符号に基づいて本発明が限定解釈されるものではない。
【図面の簡単な説明】
【００１９】
【図１】図１は、第１実施形態に係る体外循環回路１を説明するために示す図である。図１（ａ）は体外循環回路１の概略図であり、図１（ｂ）はシャントキャップセット５０の周辺部分の拡大図である。
【図２】図２は、第１シャントキャップ１００の正面図である。
【図３】図３は、第１シャントキャップ１００の底面図である。
【図４】図４は、第１シャントキャップ１００の左側面図である。
【図５】図５は、第１シャントキャップ１００の右側面図である。
【図６】図６は、第１シャントキャップ１００を正面側から見たときの全体斜視図である。
【図７】図７は、第１シャントキャップを背面側から見たときの全体斜視図である。
【図８】図８は、図２のＡ−Ａ線断面図である。
【図９】図９は、図５に示す係合部１３０の部分拡大図である。
【図１０】図１０は、図５のＢ−Ｂ線断面の拡大図である。
【図１１】図１１は、第２シャントキャップ２００の全体斜視図である。
【図１２】図１２は、第２シャントキャップ２００の正面図である。
【図１３】図１３は、第２シャントキャップ２００の右側面図である。
【図１４】図１４は、図１２のＣ−Ｃ線断面図である。
【図１５】図１５は、図１２に示す被係合部２３０の部分拡大図である。
【図１６】図１６は、第１シャントキャップ１００と第２シャントキャップ２００との接続方法及び接続解除方法を説明するために示す図である。図１６（ａ）は第１シャントキャップ１００と第２シャントキャップ２００とを接続する前の様子を示す斜視図であり、図１６（ｂ）は第１開口部１２０及び第２開口部２２０を互いに嵌合させたときの様子を示す斜視図であり、図１６（ｃ）はさらに係合部１３０を被係合部２３０に係合させたときの様子を示す斜視図である。
【図１７】図１７は、第１シャントキャップ１００と第２シャントキャップ２００との接続方法及び接続解除方法を説明するために示す図である。図１７（ａ）は第１シャントキャップ１００と第２シャントキャップ２００とを接続する前の様子を平面的に示す図であり、図１７（ｂ）は第１開口部１２０及び第２開口部２２０を互いに嵌合させたときの様子を平面的に示す図であり、図１７（ｃ）はさらに係合部１３０を被係合部２３０に係合させたときの様子を平面的に示す図である。
【図１８】図１８は、第１シャントキャップ３００の正面図である。
【図１９】図１９は、第１シャントキャップ３００の底面図である。
【図２０】図２０は、第１シャントキャップ１００の左側面図である。
【図２１】図２１は、第１シャントキャップ１００を説明するために示す図である。図２１（ａ）は図１８のＤ−Ｄ線断面図であり、図２１（ｂ）は図２１（ａ）の係合部３３０周辺部分の拡大図である。
【図２２】図２２は、第２シャントキャップ４００の正面図である。
【図２３】図２３は、第２シャントキャップ４００の右側面図である。
【図２４】図２４は、図２２のＥ−Ｅ線断面図である。
【図２５】図２５は、第１シャントキャップ３００と第２シャントキャップ４００との接続方法及び接続解除方法を説明するために示す図である。図２５（ａ）は第１シャントキャップ３００と第２シャントキャップ４００とを接続する前の様子を示す図であり、図２５（ｂ）は第１シャントキャップ３００と第２シャントキャップ４００とを接続した後の様子を示す図であり、図２５（ｃ）は係合部３３０と被係合部４３０との係合状態を解除したときの様子を示す図であり、図２５（ｄ）は第１シャントキャップ３００と第２シャントキャップ４００との接続を解除した後の様子を示す図である。
【発明を実施するための形態】
【００２０】
以下、本発明のシャントキャップセット及び体外循環回路について、図に示す実施の形態に基づいて説明する。
【００２１】
［第１実施形態］
まず、第１実施形態に係る体外循環回路１の構成について、図１を用いて説明する。
図１は、第１実施形態に係る体外循環回路１を説明するために示す図である。図１（ａ）は体外循環回路１の概略図であり、図１（ｂ）はシャントキャップセット５０の周辺部分の拡大図である。
【００２２】
第１実施形態に係る体外循環回路１は、血液透析用の体外循環回路であって、図１（ａ）に示すように、血液処理器（ダイアライザーともいう。）１０と、動脈側回路２０と、静脈側回路３０と、動脈側回路２０及び静脈側回路３０を接続するためのシャントキャップセット５０とを備える。血液処理器１０は、例えば中空糸型の血液処理器である。動脈側回路２０は、血液処理器１０の一方端部に接続されており、静脈側回路３０は、血液処理器１０の他方端部に接続されている。
【００２３】
動脈側回路２０は、図１（ａ）及び図１（ｂ）に示すように、チューブ２１〜２３と、チューブ２１とチューブ２２との間に配置されたドリップチャンバ２４と、チューブ２２とチューブ２３との間に配置されたローリングチューブ２５と、チューブ２３の端部に接続されたコネクタ部材２６と、チューブ２３の端部に取り付けられた固定具（ロックナットともいう。）２７とを有する。チューブ２３には、プライミング液としての生理食塩水を回路内に導入するための生食ライン４１と、ヘパリン液を回路内に導入するためのヘパリンライン４２とが接続されている。ドリップチャンバ２４には、モニターライン４３が接続されている。
【００２４】
コネクタ部材２６は、図示による説明は省略するが、チューブ２３と第１シャントキャップ１００とを接続する管状の部材である。固定具２７は、図示による説明は省略するが、チューブ２３と第１シャントキャップ１００との接続を固定する管状の部材であって、内部に螺旋状の突起が設けられている。
【００２５】
静脈側回路３０は、図１（ａ）及び図１（ｂ）に示すように、チューブ３１，３２と、チューブ３１とチューブ３２との間に配置されたドリップチャンバ３３と、チューブ３２の端部に接続されたコネクタ部材３４と、チューブ３２の端部に取り付けられた固定具３５とを有する。ドリップチャンバ３３には、プライミング処理時に余分な生理食塩水を排出するための廃液ライン４４と、モニターライン４５とが接続されている。
【００２６】
コネクタ部材３４は、図示による説明は省略するが、チューブ３２と第２シャントキャップ２００とを接続する管状の部材である。固定具３５は、図示による説明は省略するが、チューブ３２と第２シャントキャップ２００との接続を固定する管状の部材であって、内部に螺旋状の突起が設けられている。
【００２７】
シャントキャップセット５０は、プライミング処理に用いられるものであって、図１（ｂ）に示すように、第１シャントキャップ１００及び第２シャントキャップ２００を備える。第１シャントキャップ１００は動脈側回路２０のコネクタ部材２６に接続されており、第２シャントキャップ２００は静脈側回路３０のコネクタ部材３４に接続されている。
【００２８】
次に、第１シャントキャップ１００の構成について、図２〜図１０を用いて説明する。
図２は、第１シャントキャップ１００の正面図である。図３は、第１シャントキャップ１００の底面図である。図４は、第１シャントキャップ１００の左側面図である。図５は、第１シャントキャップ１００の右側面図である。図６は、第１シャントキャップ１００を正面側から見たときの全体斜視図である。図７は、第１シャントキャップを背面側から見たときの全体斜視図である。図８は、図２のＡ−Ａ線断面図である。図９は、図５に示す係合部１３０の部分拡大図である。なお、図９において、係合部１３０のみ実線で図示し、係合部１３０以外の部材については破線で図示している。図１０は、図５のＢ−Ｂ線断面の拡大図である。
【００２９】
第１シャントキャップ１００は、図２〜図７に示すように、第１本体部１１０と、第１本体部１１０の一方端に配置された第１開口部１２０と、第１開口部１２０の近傍に配置された２つの係合部１３０と、第１開口部１２０を閉塞する第１栓部１４０と、第１本体部１１０と第１栓部１４０とを繋ぐ第１連結部１５０と、第１本体部１１０の他方端に配置された第１コネクタ接続部１６０とを備える。
【００３０】
第１本体部１１０は、図４〜図７に示すように、第１管部１１２と、第１管部１１２における第１開口部１２０寄りの位置に設けられた第１鍔部１１４と、第１管部１１２の側面に設けられたリング状の第１リング部１１６とを有する。第１管部１１２は、例えば円筒形状の管状部材であり、管内部が流路（内部流路）となるように構成されている（図８参照。）。第１鍔部１１４は、図２に示すように、正面視略円形状である。第１リング部１１６には、図４及び図５に示すように、所定サイズの円孔が設けられている。
【００３１】
第１開口部１２０は、第１鍔部１１４側に位置する第１ストレート部１２２と、第１ストレート部１２２に隣接する第１テーパ部１２４とを有する。また、第１開口部１２０には、第１管部１１２の内部流路に通じる孔１２６が設けられている（図８参照。）。第１ストレート部１２２の外面はストレート形状である。第１テーパ部１２４の外面は、第１ストレート部１２２側から孔１２６に向かうにしたがって外径寸法が小さくなるようなテーパ状である。第１ストレート部１２２の外径寸法は、第１テーパ部１２４の最大外径寸法よりも大きく設定されており、第１ストレート部１２２と第１テーパ部１２４との境界部分が段状となっている。
【００３２】
２つの係合部１３０のそれぞれは、図９に示すように、第１本体部１１０の管軸１１０ａｘに沿って第１開口部１２０側に伸びる伸出部１３２と、伸出部１３２の先端部分に設けられた突起部１３４とを有する。２つの係合部１３０は、第１シャントキャップ１００を正面から見たとき、図２に示すように、孔１２６を中心として１８０度の配置間隔で配置されている。第１シャントキャップ１００を正面から見たとき、孔１２６の右側に位置する係合部１３０においては、突起部１３４が鉛直上方向に向かって突出しており（図５参照。）、孔１２６の左側に位置する係合部１３０においては、突起部１３４が鉛直下方向に向かって突出している（図４参照。）。
【００３３】
第１栓部１４０は、図４〜図７及び図１０に示すように、円筒状の第１嵌合凹部１４２と、第１嵌合凹部１４２の中心部に設けられた第１嵌合凸部１４４とを有する。第１栓部１４０は、第１嵌合凹部１４２と第１嵌合凸部１４４とによって形成される隙間に第１開口部１２０の第１テーパ部１２４を嵌合可能に構成されている。なお、第１テーパ部１２４に第１栓部１４０を嵌めたとき、係合部１３０は、第１嵌合凹部１４２の中ではなく、第１嵌合凹部１４２の外側に位置することとなる。
【００３４】
第１連結部１５０は、所定の撓み性を有する。また、第１連結部１５０の一部には、屈曲可能に構成された第１屈曲部１５２が設けられている。第１屈曲部１５２には、図３及び図７に示すように、所定深さの切れ込みが設けられている。
【００３５】
第１コネクタ接続部１６０は、図４〜図７に示すように、螺旋状の突起からなる第１螺合部１６２を有する。また、第１コネクタ接続部１６０には、第１管部１１２の内部流路に通じる孔１６４が設けられている。第１コネクタ接続部１６０の孔１６４には、図１に示したコネクタ部材２６を接続可能である。孔１６４にコネクタ部材２６を接続した状態で、第１螺合部１６２に固定具２７を螺合させると、固定具２７の内部突起が第１螺合部１６２と噛み合う結果、固定具２７が係止されることとなる。
【００３６】
第１シャントキャップ１００を構成する各部材は、金型により一体成形されている。第１シャントキャップ１００を構成する材料としては、例えばポリプロピレンを用いている。
【００３７】
次に、第２シャントキャップ２００の構成について、図１１〜図１５を用いて説明する。
図１１は、第２シャントキャップ２００の全体斜視図である。図１２は、第２シャントキャップ２００の正面図である。図１３は、第２シャントキャップ２００の右側面図である。図１４は、図１２のＣ−Ｃ線断面図である。図１５は、図１２に示す被係合部２３０の部分拡大図である。なお、図１５において、被係合部２３０のみ実線で図示し、被係合部２３０以外の部材については破線で図示している。
【００３８】
第２シャントキャップ２００は、図１１〜図１３に示すように、第２本体部２１０と、第２本体部２１０の一方端に配置された第２開口部２２０と、第２開口部２２０の近傍に配置された２つの被係合部２３０と、第２開口部２２０を閉塞する第２栓部２４０と、第２本体部２１０と第２栓部２４０とを繋ぐ第２連結部２５０と、第２本体部２１０の他方端に配置された第２コネクタ接続部２６０とを備える。
【００３９】
第２本体部２１０は、第２管部２１２と、第２管部２１２における第２開口部２２０の位置に設けられた第２鍔部２１４と、第２管部２１２の側面に設けられたリング状の第２リング部２１６とを有する。第２管部２１２は、例えば円筒形状の管状部材であり、管内部が流路（内部流路）となるように構成されている（図１４参照。）。第２鍔部２１４は、図１２に示すように、正面視略円形状である。第２リング部２１６には、図１３に示すように、所定サイズの円孔が設けられている。
【００４０】
第２開口部２２０は、図１４に示すように、第２鍔部２１４側に位置する第２ストレート部２２２と、第２ストレート部２２２に隣接する第２テーパ部２２４とを有する。また、第２開口部２２０には、第２管部２１２の内部流路に通じる孔２２６が設けられている。第２ストレート部２２２は、内面がストレート形状である。第２テーパ部２２４の内面は、孔２２６側から第２コネクタ接続部２６０側に向かうにしたがって内径寸法が小さくなるようなテーパ状である。第２ストレート部２２２及び第２テーパ部２２４の内面形状及び内径寸法は、第１シャントキャップ１００の第１開口部１２０と第２シャントキャップ２００の第２開口部２２０とが嵌合するように、第１シャントキャップ１００における第１ストレート部１２２及び第１テーパ部１２４の外面形状及び外径寸法と対応した形状及び寸法に設定されている。これにより、第２開口部２２０は、第１開口部１２０と嵌合可能である。
【００４１】
２つの被係合部２３０のそれぞれは、図１５に示すように、第２鍔部２１４に設けられた切欠き部２３２を有する。２つの切欠き部２３２は、第２シャントキャップ２００を正面から見たときに、孔２２６を中心として１８０度の配置間隔で配置されている。
【００４２】
切欠き部２３２の切欠き幅Ｗ３は、伸出部１３２の幅Ｗ１と突起部１３４の突出長Ｌ２との和よりも大きな値（すなわち「Ｗ３＞（Ｗ１＋Ｌ２）」）に設定されている（図９及び図１５参照。）。
なお、「伸出部１３２の幅Ｗ１」は、伸出部１３２における管軸１１０ａｘに対して直交方向の長さ（伸出部１３２の妻手方向の長さ）と同義である。「突起部１３４の突出長Ｌ２」は、突起部１３４における管軸１１０ａｘに対して直交する方向の長さと同義である。
【００４３】
第２栓部２４０は、図１１に示すように、円筒状の第２嵌合凹部２４２と、第２嵌合凹部２４２の中心部に設けられた第２嵌合凸部２４４とを有する。第２栓部２４０は、第２嵌合凹部２４２と第２嵌合凸部２４４とによって形成される隙間に第２鍔部２１４及び第２開口部２２０を嵌合可能に構成されている。なお、第２鍔部２１４に第２栓部２４０を嵌めたとき、第２開口部２２０（第２ストレート部２２２及び第２テーパ部２２４）の内面側の領域に第２嵌合凸部２４４が位置することとなる。
【００４４】
第２連結部２５０は、所定の撓み性を有する。また、第２連結部２５０の一部には、屈曲可能に構成された第２屈曲部２５２が設けられている。第２屈曲部２５２には、図１１に示すように、所定深さの切れ込みが設けられている。
【００４５】
第２コネクタ接続部２６０は、図１１、図１３及び図１４に示すように、螺旋状の突起からなる第２螺合部２６２を有する。また、第２コネクタ接続部２６０には、第２管部２１２の内部流路に通じる孔２６４が設けられている。第２コネクタ接続部２６０の孔２６４には、図１に示したコネクタ部材３４を接続可能である。孔２６４にコネクタ部材３４を接続した状態で、第２螺合部２６２に固定具３５を螺合させると、固定具３５の内部突起が第２螺合部２６２と噛み合う結果、固定具３５が係止されることとなる。
【００４６】
第２シャントキャップ２００を構成する各部材は、金型により一体成形されている。第２シャントキャップ２００を構成する材料としては、例えばポリプロピレンを用いている。
【００４７】
次に、第１シャントキャップ１００と第２シャントキャップ２００との接続方法及び接続解除方法について、図１６及び図１７を用いて説明する。
図１６及び図１７は、第１シャントキャップ１００と第２シャントキャップ２００との接続方法及び接続解除方法を説明するために示す図である。図１６（ａ）及び図１７（ａ）においては第１シャントキャップ１００と第２シャントキャップ２００とを接続する前の様子を図示しており、図１６（ｂ）及び図１７（ｂ）は第１開口部１２０及び第２開口部２２０を互いに嵌合させたときの様子を図示しており、図１６（ｃ）及び図１７（ｃ）はさらに係合部１３０を被係合部２３０に係合させたときの様子を図示している。図１６（ａ）〜図１６（ｃ）においては第１シャントキャップ１００及び第２シャントキャップ２００を斜視図で示しており、図１７（ａ）〜図１７（ｃ）においては第１シャントキャップ１００及び第２シャントキャップ２００を管軸１１０ａｘ，２１０ａｘに直交する方向から図示している。
【００４８】
第１シャントキャップ１００及び第２シャントキャップ２００を接続するには、まず、図１６（ａ）及び図１７（ａ）に示すように、第１開口部１２０と第２開口部２２０とを対向させた状態で、係合部１３０及び被係合部２３０の位置がそれぞれ対応し、かつ、管軸１１０ａｘ，２１０ａｘが一致するように、第１シャントキャップ１００及び第２シャントキャップ２００を配置する。このとき、第１開口部１２０及び第２開口部２２０が互いに嵌合可能に構成されていることから、図１６（ｂ）及び図１７（ｂ）に示すように、第１開口部１２０及び第２開口部２２０を嵌合させることにより、第１シャントキャップ１００及び第２シャントキャップ２００を接続することができる。
【００４９】
また、第１シャントキャップ１００及び第２シャントキャップ２００は、第１開口部１２０と第２開口部２２０とを嵌合させた状態で、係合部１３０が被係合部２３０に係合可能に構成されている。このため、第１シャントキャップ１００又は第２シャントキャップ２００を、図１６（ｂ）及び図１７（ｂ）に示す矢印Ｐ１方向に沿って回動させることにより、図１６（ｃ）及び図１７（ｃ）に示すように、係合部１３０を被係合部２３０に係合させることができる。その結果、第１シャントキャップ１００及び第２シャントキャップ２００を確実に接続することができる。
【００５０】
なお、係合部１３０を被係合部２３０に係合させる際には、第１シャントキャップ１００及び第２シャントキャップ２００のいずれか一方を、図１６（ｂ）及び図１７（ｂ）に示す矢印Ｐ１方向に沿って回動させてもよいし、第１シャントキャップ１００及び第２シャントキャップ２００の両方を、矢印Ｐ１方向に沿って回動させてもよい。
【００５１】
一方、第１シャントキャップ１００及び第２シャントキャップ２００の接続を解除するにあたっては、第１シャントキャップ１００及び第２シャントキャップ２００は、係合部１３０と被係合部２３０との係合状態を解除したときにのみ、第１開口部１２０と第２開口部２２０との接続状態を解除可能に構成されていることから、まず、係合部１３０と被係合部２３０との係合状態を解除する。具体的には、第１シャントキャップ１００又は第２シャントキャップ２００を、図１６（ｃ）及び図１７（ｃ）に示す矢印Ｐ２方向に沿って回動させると、係合部１３０と被係合部２３０との係合状態が解除される。そして、第１シャントキャップ１００と第２シャントキャップ２００とを引き離すことにより、第１開口部１２０が第２開口部２２０から外れ、第１シャントキャップ１００と第２シャントキャップ２００との接続状態が解除される。
【００５２】
なお、上述から分かる通り、係合部１３０と被係合部２３０とは、第１本体部１１０の管軸１１０ａｘを中心軸として第１シャントキャップ１００を回動させることにより（又は管軸２１０ａｘを中心軸として第２シャントキャップ２００を回動させることにより）、互いを係合状態にしたり、その係合状態を解除したりすることができるように構成されている。
【００５３】
また、係合部１３０の突起部１３４は、図１６（ｃ）から明らかなように、係合部１３０と被係合部２３０との係合状態を解除するときにおける第１シャントキャップ１００の回動方向（矢印Ｐ２方向）に対して、反対の方向に向かって突出している。
【００５４】
以上のように構成された第１実施形態に係るシャントキャップセット５０によれば、上記した係合部１３０及び被係合部２３０を備えているため、係合部１３０と被係合部２３０との係合状態を解除しない限り、第１シャントキャップ１００と第２シャントキャップ２００との接続状態を維持し続けることが可能となる。つまり、シャントキャップ同士の接続状態が不意に解除されてしまうのを抑制することが可能となる。
【００５５】
また、第１実施形態に係るシャントキャップセット５０によれば、係合部１３０と被係合部２３０との係合状態を解除さえすれば、第１シャントキャップ１００と第２シャントキャップ２００との接続状態を解除することができるため、シャントキャップ同士の接続解除作業が煩雑となってしまうこともない。
【００５６】
第１実施形態に係るシャントキャップセット５０においては、係合部１３０は、第１開口部１２０の近傍に設けられており、被係合部２３０は、第２開口部２２０の近傍に設けられている。これにより、第１開口部１２０及び第２開口部２２０と係合部１３０及び被係合部２３０との位置関係が比較的近いものとなり、全体的にコンパクトなシャントキャップセットとなる。
【００５７】
第１実施形態に係るシャントキャップセット５０においては、係合部１３０と被係合部２３０とは、第１本体部１１０の管軸１１０ａｘを中心軸として第１シャントキャップ１００を回動させることにより、互いの係合状態を解除可能に構成されている。これにより、比較的簡単な動作でもってシャントキャップ同士を接続したりその接続を解除したりすることが可能となる。
【００５８】
第１実施形態に係るシャントキャップセット５０においては、係合部１３０は上記した伸出部１３２及び突起部１３４を有し、被係合部２３０は上記した切欠き部２３２から構成されている。また、突起部１３４は、係合部１３０と被係合部２３０との係合状態を解除するときにおける第１シャントキャップ１００の回動方向（図１６（ｃ）に示す矢印Ｐ２方向）に対して、反対の方向に向かって突出している。これにより、シャントキャップ同士の接続状態が不意に解除されてしまうのを抑制可能でありながら、簡単な動作でもってシャントキャップ同士の接続作業及び接続解除作業を行えるシャントキャップセットを、比較的容易に実現することが可能となる。
【００５９】
また、第１実施形態に係るシャントキャップセット５０においては、第１シャントキャップ１００と第２シャントキャップ２００とを接続した際、係合部１３０と被係合部２３０とが係合することによって、管軸１１０ａｘ，２１０ａｘを中心とする第１シャントキャップ１００又は第２シャントキャップ２００の回転位置を、望ましい位置で留めることが可能となる。その結果、第１シャントキャップ１００又は第２シャントキャップ２００に繋がるチューブの捩れや、接続後における栓部又は連結部同士の望ましくない干渉（接触）を抑制することが可能となる。
【００６０】
第１実施形態に係るシャントキャップセット５０においては、切欠き部２３２の切欠き幅Ｗ３は、伸出部１３２の幅Ｗ１と突起部１３４の突出長Ｌ２との和よりも大きな値に設定されている。これにより、シャントキャップ同士をスムーズに嵌合させることが可能となる。
【００６１】
第１実施形態に係るシャントキャップセット５０においては、第１シャントキャップ１００は第１リング部１１６を備えており、第２シャントキャップ２００は第２リング部２１６を備えている。これにより、例えばプライミング処理が終了した後において、生理食塩水等が充填された薬液バッグを吊るすためのハンガーのフックに、第１リング部１１６又は第２リング部２１６を引っ掛けることができ、第１シャントキャップ１００又は第２シャントキャップ２００をハンガーに吊り下げることが可能となる。
【００６２】
第１実施形態に係る体外循環回路１によれば、上述の優れたシャントキャップセット５０を備えているため、シャントキャップ同士の接続状態が不意に解除されてしまうのを抑制可能な体外循環回路となる。
【００６３】
［第２実施形態］
第２実施形態に係るシャントキャップセット５２は、第１実施形態に係るシャントキャップセット５０と同様、血液透析用の体外循環回路をプライミング処理するために用いられるものであって、第１シャントキャップ３００及び第２シャントキャップ４００を備える。以下、第１シャントキャップ３００及び第２シャントキャップ４００の構成について、図を用いて詳細に説明する。
【００６４】
まず、第１シャントキャップ３００の構成について、図１８〜図２１を用いて説明する。
図１８は、第１シャントキャップ３００の正面図である。図１９は、第１シャントキャップ３００の底面図である。図２０は、第１シャントキャップ３００の左側面図である。図２１は、第１シャントキャップ３００を説明するために示す図である。図２１（ａ）は図１８のＤ−Ｄ線断面図であり、図２１（ｂ）は図２１（ａ）の係合部３３０周辺部分の拡大図である。
【００６５】
第１シャントキャップ３００は、図１８〜図２０に示すように、第１本体部３１０と、第１本体部３１０の一方端に配置された第１開口部３２０と、第１開口部３２０の近傍に配置された２つの係合部３３０と、第１開口部３２０を閉塞する第１栓部３４０と、第１本体部３１０と第１栓部３４０とを繋ぐ第１連結部３５０と、第１本体部３１０の他方端に配置された第１コネクタ接続部３６０とを備える。
【００６６】
第１シャントキャップ３００は、基本的には第１実施形態で説明した第１シャントキャップ１００と同様の構成を有するが、第１本体部３１０及び係合部３３０の構成が、第１シャントキャップ１００の場合とは異なる。
【００６７】
すなわち、第１本体部３１０は、第１管部３１２と、第１管部３１２の側面に設けられた第１リング部３１６とを有しているが、第１実施形態で説明した第１鍔部に相当する部分を有していない。第１管部３１２及び第１リング部３１６の構成及び機能については、第１実施形態で説明したものと同様であるため、詳細な説明は省略する。
【００６８】
係合部３３０は、図２１（ａ）及び図２１（ｂ）に示すように、第１本体部３１０の管軸３１０ａｘに沿って第１開口部３２０側に伸びる伸出部３３２と、第１本体部３１０の管軸３１０ａｘに沿って第１開口部３２０とは反対側（第１コネクタ接続部３６０側）に伸びる押圧部３３６と、伸出部３３２及び押圧部３３６の間に位置し、伸出部３３２及び押圧部３３６を支持する支持部３３８と、伸出部３３２の先端部分に設けられた突起部３３４とを有する。また、係合部３３０は、第１シャントキャップ３００を正面から見たとき（図１８参照。）に、孔３２６を中心として１８０度の配置間隔で配置されている。突起部３３４は、第１本体部３１０の外面側から内面側に向かって突出している。
【００６９】
詳細については後述するが、伸出部３３２は、押圧部３３６に対して第１本体部３１０の外面側から内面側に向かう外力を加えたときに、第１本体部３１０の内面側から外面側に向けて変位するように構成されている。
【００７０】
第１開口部３２０、第１栓部３４０、第１連結部３５０及び第１コネクタ接続部３６０の構成及び機能については、第１実施形態で説明したものと同様であるため、詳細な説明は省略する。
【００７１】
次に、第２シャントキャップ４００の構成について、図２２〜図２４を用いて説明する。
図２２は、第２シャントキャップ４００の正面図である。図２３は、第２シャントキャップ４００の右側面図である。図２４は、図２２のＥ−Ｅ線断面図である。
【００７２】
第２シャントキャップ４００は、図２２〜図２４に示すように、第２本体部４１０と、第２本体部４１０の一方端に配置された第２開口部４２０と、第２開口部４２０の近傍に配置された被係合部４３０と、第２開口部４２０を閉塞する第２栓部４４０と、第２本体部４１０と第２栓部４４０とを繋ぐ第２連結部４５０と、第２本体部４１０の他方端に配置された第２コネクタ接続部４６０とを備える。
【００７３】
第２シャントキャップ４００は、基本的には第１実施形態で説明した第２シャントキャップ２００と同様の構成を有するが、第２本体部４１０及び被係合部４３０の構成が、第２シャントキャップ２００の場合とは異なる。
【００７４】
すなわち、第２本体部４１０は、第２管部４１２と、第２管部４１２の側面に設けられた第２リング部４１６とを有しているが、第１実施形態で説明した第２鍔部に相当する部分を有していない。第２管部４１２及び第２リング部４１６の構成及び機能については、第１実施形態で説明したものと同様であるため、詳細な説明は省略する。
【００７５】
被係合部４３０は、図２３及び図２４に示すように、第２開口部４２０における第２ストレート部４２２及び第２テーパ部４２４の境界部分（段差となっている部分）に設けられた受け部４３２を有する。受け部４３２は、上記した境界部分において、第２本体部４１０の管軸４１０ａｘを中心軸として全周にわたって配置されている。
【００７６】
第２開口部４２０、第２栓部４４０、第２連結部４５０及び第２コネクタ接続部４６０の構成及び機能については、第１実施形態で説明したものと同様であるため、詳細な説明は省略する。
【００７７】
次に、第１シャントキャップ３００と第２シャントキャップ４００との接続方法及び接続解除方法について、図２５を用いて説明する。
図２５は、第１シャントキャップ３００と第２シャントキャップ４００との接続方法及び接続解除方法を説明するために示す図である。図２５（ａ）は第１シャントキャップ３００と第２シャントキャップ４００とを接続する前の様子を示す図であり、図２５（ｂ）は第１シャントキャップ３００と第２シャントキャップ４００とを接続したときの様子を示す図であり、図２５（ｃ）は係合部３３０と被係合部４３０との係合状態を解除したときの様子を示す図であり、図２５（ｄ）は第１シャントキャップ３００と第２シャントキャップ４００との接続を解除した後の様子を示す図である。図２５（ａ）〜図２５（ｄ）においては、発明の理解を容易にするため、図２１（ａ）に示した第１シャントキャップ３００の断面図及び図２４に示した第２シャントキャップ４００の断面図をもとに図示している。
【００７８】
第１シャントキャップ３００及び第２シャントキャップ４００を接続するには、まず、図２５（ａ）に示すように、第１開口部３２０と第２開口部４２０とを対向させた状態で、管軸３１０ａｘ，４１０ａｘが一致するように、第１シャントキャップ３００及び第２シャントキャップ４００を配置する。このとき、第１開口部３２０及び第２開口部４２０が互いに嵌合可能に構成されていることから、第１開口部３２０及び第２開口部４２０を嵌合させることにより、第１シャントキャップ３００及び第２シャントキャップ４００を接続することができる。
【００７９】
また、第１シャントキャップ３００及び第２シャントキャップ４００は、第１開口部３２０と第２開口部４２０とを嵌合させた状態で、係合部３３０が被係合部４３０に係合可能に構成されている。このため、第２シャントキャップ４００に対して第１シャントキャップ３００を押し込むことにより、図２５（ｂ）に示すように、係合部３３０を被係合部４３０に係合させることができる。その結果、第１シャントキャップ３００及び第２シャントキャップ４００を確実に接続することができる。
【００８０】
一方、第１シャントキャップ３００及び第２シャントキャップ４００の接続を解除するにあたっては、第１シャントキャップ３００及び第２シャントキャップ４００は、係合部３３０と被係合部４３０との係合状態を解除したときにのみ、第１開口部３２０と第２開口部４２０との接続状態を解除可能に構成されていることから、まず、係合部３３０と被係合部４３０との係合状態を解除する。具体的には、押圧部３３６に対して図２５（ｂ）に示す矢印Ｑ１方向（第１本体部３１０の外面側から内面側に向かう方向）に外力を加えると、伸出部３３２が図２５（ｃ）に示す矢印Ｑ２方向（第１本体部３１０の内面側から外面側に向かう方向）に変位し、伸出部３３２の先端部分に設けられた突起部３３４と被係合部４３０の受け部４３２との係合状態が解除される。そして、第１シャントキャップ３００と第２シャントキャップ４００とを引き離すことにより、第１開口部３２０が第２開口部４２０から外れ、第１シャントキャップ３００と第２シャントキャップ４００との接続状態が解除される（図２５（ｄ）参照。）。
【００８１】
以上のように構成された第２実施形態に係るシャントキャップセット５２によれば、上記した係合部３３０及び被係合部４３０を備えているため、係合部３３０と被係合部４３０との係合状態を解除しない限り、第１シャントキャップ３００と第２シャントキャップ４００との接続状態を維持し続けることが可能となる。つまり、シャントキャップ同士の接続状態が不意に解除されてしまうのを抑制することが可能となる。
【００８２】
また、第２実施形態に係るシャントキャップセット５２によれば、係合部３３０と被係合部４３０との係合状態を解除さえすれば、第１シャントキャップ３００と第２シャントキャップ４００との接続状態を解除することができるため、シャントキャップ同士の接続解除作業が煩雑となってしまうこともない。
【００８３】
第２実施形態に係るシャントキャップセット５２においては、係合部３３０と被係合部４３０とは、第１本体部３１０の外面側から内面側に向けて、係合部３３０の一部（押圧部３３６）に外力を加えることにより、互いの係合状態を解除可能に構成されている。これにより、比較的簡単な動作でもってシャントキャップ同士を接続したりその接続を解除したりすることが可能となる。
【００８４】
第２実施形態に係るシャントキャップセット５２においては、係合部３３０は上記した伸出部３３２、押圧部３３６、支持部３３８及び突起部３３４を有し、被係合部４３０は上記した受け部４３２から構成されている。また、突起部３３４は、第１本体部３１０の外面側から内面側に向かって突出している。さらに、伸出部３３２は、押圧部３３６に対して第１本体部３１０の外面側から内面側に向かう外力を加えたときに、第１本体部３１０の内面側から外面側に向けて変位するように構成されている。これにより、シャントキャップ同士の接続状態が不意に解除されてしまうのを抑制可能でありながら、簡単な動作でもってシャントキャップ同士の接続作業及び接続解除作業を行えるシャントキャップセットを、比較的容易に実現することが可能となる。
【００８５】
第２実施形態に係るシャントキャップセット５２は、係合部及び被係合部の構成並びに第１鍔部及び第２鍔部を備えていない点で、第１実施形態に係るシャントキャップセット５０とは異なるが、その他の点では、第１実施形態に係るシャントキャップセット５０と同様の構成を有するため、第１実施形態に係るシャントキャップセット５０が有する効果のうち該当する効果をそのまま有する。
【００８６】
以上、本発明のシャントキャップセット及び体外循環回路を上記の実施形態に基づいて説明したが、本発明は上記の実施形態に限定されるものではなく、その要旨を逸脱しない範囲において種々の態様において実施することが可能であり、例えば次のような変形も可能である。
【００８７】
（１）上記各実施形態においては、第１シャントキャップに係止部が２つ設けられている場合を例示して説明したが、本発明はこれに限定されるものではなく、係止部が１つ又は３つ以上設けられていてもよい。第１シャントキャップに設けられた係止部の数が１つである場合には、第２シャントキャップに設けられた被係止部の数は１つであってもよいし、複数であってもよい。また、第１シャントキャップに設けられた係止部の数と第２シャントキャップに設けられた被係止部の数との関係について、必ずしも同数である場合に限定されるものではなく、例えば２つの係合部に対して４つの被係合部が設けられている等、係合部及び被係合部の数は異なっていてもよい。
【００８８】
（２）上記第１実施形態においては、係合部の形状として、図９から分かるように、伸出部１３２と突起部１３４とでもって略Ｌ字を形成する形状からなる場合を例示して説明したが、本発明はこれに限定されるものではない。例えば、図９において、突起部１３４が設けられている部分とは反対側（図９の図面下側）に他の突起部が設けられており、略Ｔ字を形成する形状からなっていてもよい。すなわち、伸出部の先端部分に、突起部の突出方向とは反対方向に突出する他の突起部が設けられた係合部を備えていてもよい。
【００８９】
（３）上記第２実施形態においては、第２開口部４２０における第２ストレート部４２２及び第２テーパ部４２４の境界部分（段差となっている部分）において、第２本体部４１０の管軸４１０ａｘを中心軸として全周にわたって、受け部４３２が配置されている場合を例示して説明したが、本発明はこれに限定されるものではない。係合部が設けられている位置と対応する位置にのみ（第２実施形態の場合では、管軸４１０ａｘを中心軸として１８０度の配置間隔で）、受け部に相当する部分が配設されていてもよい。
【００９０】
（４）上記各実施形態においては、第１本体部の第１管部及び第２本体部の第２管部が、円筒形状の管状部材である場合を例示して説明したが、本発明はこれに限定されるものではなく、例えば角筒形状の管状部材であってもよい。
【００９１】
（５）上記各実施形態においては、第１シャントキャップ及び第２シャントキャップを構成する各部材が、金型により一体成形されている場合を例示して説明したが、本発明はこれに限定されるものではない。例えば、第１シャントキャップ及び第２シャントキャップを構成する各部材を個別に作成した後、各部材を接合してもよい。
【００９２】
（６）上記各実施形態においては、第１シャントキャップ及び第２シャントキャップを構成する材料として、ポリプロピレンを用いた場合を例示して説明したが、本発明はこれに限定されるものではなく、例えば、ポリエチレンなど他のプラスチック材料を用いてもよい。また、材料としてはプラスチック材料に限定されず、例えば金属材料などを用いてもよい。
【００９３】
（７）本発明のシャントキャップセットは、上述した回路構成からなる動脈側回路２０及び静脈側回路３０を備える体外循環回路１に限らず、上述の構成とは異なる構成からなる回路部材を備える体外循環回路に用いることができる。また、血液透析用の体外循環回路に限らず、他の用途として用いられる体外循環回路（例えば、血漿分離用の体外循環回路や人工心肺用の体外循環回路等）に用いることもできる。
【符号の説明】
【００９４】
１  体外循環回路
１０  血液処理器
２０  動脈側回路
２１〜２３，３１，３２  チューブ
２４，３３  ドリップチャンバ
２５  ローリングチューブ
２６，３４  コネクタ部材
２７，３５  固定具
３０  静脈側回路
４１  生食ライン
４２  ヘパリンライン
４３，４５  モニターライン
４４  廃液ライン
５０，５２  シャントキャップセット
１００，３００  第１シャントキャップ
１１０，３１０  第１本体部
１１０ａｘ，３１０ａｘ  第１本体部の管軸
１１２，３１２  第１管部
１１４  第１鍔部
１１６，３１６  第１リング部
１２０，３２０  第１開口部
１２２，３２２  第１ストレート部
１２４，３２４  第１テーパ部
１２６，１６４，３２６，３６４  （第１シャントキャップの）孔
１３０，３３０  係合部
１３２，３３２  伸出部
１３４，３３４  突起部
１４０，３４０  第１栓部
１４２  第１嵌合凹部
１４４  第１嵌合凸部
１５０，３５０  第１連結部
１５２，３５２  第１屈曲部
１６０，３６０  第１コネクタ接続部
１６２，３６２  第１螺合部
２００，４００  第２シャントキャップ
２１０，４１０  第２本体部
２１０ａｘ，４１０ａｘ  第２本体部の管軸
２１２，４１２  第２管部
２１４  第２鍔部
２１６，４１６  第２リング部
２２０，４２０  第２開口部
２２２，４２２  第２ストレート部
２２４，４２４  第２テーパ部
２２６，２６４，４２６，４６４  （第２シャントキャップの）孔
２３０，４３０  被係合部
２３２  切欠き部
２４０，４４０  第２栓部
２４２  第２嵌合凹部
２４４  第２嵌合凸部
２５０，４５０  第２連結部
２５２，４５２  第２屈曲部
２６０，４６０  第２コネクタ接続部
２６２，４６２  第２螺合部
３３６  押圧部
３３８  支持部
４３２  受け部
Ｌ２  突起部の突出長
Ｗ１  伸出部の幅
Ｗ３  切欠き部の切欠き幅
【図１】
2013165785.tif 000003
【図２】
2013165785.tif 000004
【図３】
2013165785.tif 000005
【図４】
2013165785.tif 000006
【図５】
2013165785.tif 000007
【図６】
2013165785.tif 000008
【図７】
2013165785.tif 000009
【図８】
2013165785.tif 000010
【図９】
2013165785.tif 000011
【図１０】
2013165785.tif 000012
【図１１】
2013165785.tif 000013
【図１２】
2013165785.tif 000014
【図１３】
2013165785.tif 000015
【図１４】
2013165785.tif 000016
【図１５】
2013165785.tif 000017
【図１６】
2013165785.tif 000018
【図１７】
2013165785.tif 000019
【図１８】
2013165785.tif 000020
【図１９】
2013165785.tif 000021
【図２０】
2013165785.tif 000022
【図２１】
2013165785.tif 000023
【図２２】
2013165785.tif 000024
【図２３】
2013165785.tif 000025
【図２４】
2013165785.tif 000026
【図２５】
2013165785.tif 000027